(57)【要約】【課題】衝撃に対する人頭の保護性能を向上させたハンモックを提供する。【解決手段】ヘルメットの帽体内部で人頭に接するハンモック２は、互に間隔を存して頭頂部側から下方に延びる４つ以上の帯状の脚部６ａ，６ｂ，７ａ，７ｂを備える。各脚部間に、脚部同士を繋いで周方向に延びる桁部１０を設ける。桁部に、桁部と帽体との間の空隙を保持する空隙保持部２１を設ける。空隙保持部２１を、互いに間隔を存して配設された複数の板状部２２によって構成し、各板状部２２の間隔部分を通気自在とする。【選択図】図４
2019199680.tif 000002
【特許請求の範囲】
【請求項１】
ヘルメットの帽体内部に取り付けられて内面が人頭に接するハンモックであって、互いに間隔を存して頭頂部側から下方に延びる４つ以上の帯状の脚部を備え、該脚部の下端に、前記帽体に着脱自在に連結する連結部が設けられているものにおいて、
前記各脚部間に、互いに隣り合う脚部同士を繋いで周方向に延びる帯状の桁部を設け、
前記桁部に、前記脚部の撓みや伸びに応じて前記帽体の内面に当接することにより前記桁部と前記帽体との間の空隙を保持する空隙保持部を設け、
前記空隙保持部を、前記桁部の周方向に沿って互いに間隔を存して配設された複数の板状部によって構成し、
各板状部においては、互いに板面を対向させて両板面間の間隔部分を通気自在としたことを特徴とするヘルメット用ハンモック。
【請求項２】
前記桁部の外面に、該桁部の下縁に沿って突出する凸条を設けたことを特徴とする請求項１記載のヘルメット用ハンモック。
【請求項３】
ヘルメットの帽体内部に取り付けられて内面が人頭に接するハンモックであって、互いに間隔を存して頭頂部側から下方に延びる４つ以上の帯状の脚部を備え、該脚部の下端に、前記帽体に着脱自在に連結する連結部が設けられているものにおいて、
前記各脚部間に、互いに隣り合う脚部同士を繋いで周方向に延びる帯状の桁部を設け、
前記桁部の外面に、該桁部の下縁に沿って突出する凸条を設けたことを特徴とするヘルメット用ハンモック。
【発明の詳細な説明】
【技術分野】
【０００１】
本発明は、ヘルメットの帽体内部に取り付けられて人頭に装着するハンモックに関する。
【背景技術】
【０００２】
ヘルメットは、硬質の帽体と、帽体に取り付けられる着装体とを備えている。着装体は、人頭に接するハンモック、ヘッドバンド、環ひも類等によって構成される。更に、この種のヘルメットにおいては、帽体が受ける衝撃の運動エネルギーを吸収するために着装体以外に設ける保護パッドとして、衝撃吸収ライナが帽体の内面に取り付けられる。
【０００３】
衝撃吸収ライナは、一般に、発泡スチロール等により形成されており、帽体の内面の殆どの範囲を覆っている。これにより、着用者の転倒時や転落時に前頭部と後頭部との何れの側から衝撃を受けても、そのときの衝撃力を衝撃吸収ライナが適切に吸収して人頭を保護することができるようになっている（例えば、特許文献１参照）。
【０００４】
しかし、帽体と着装体との間に衝撃吸収ライナが設けられていると、帽体内部の通気性が悪く、熱こもりや蒸れが生じて着用時の快適性が損なわれる不都合がある。
【０００５】
そこで、帽体の内面から衝撃吸収ライナを取り除いて、帽体内部の通気性や放熱性を確保することが考えられる。
【先行技術文献】
【特許文献】
【０００６】
【特許文献１】特開平８−３１１７１３号公報
【発明の概要】
【発明が解決しようとする課題】
【０００７】
一方、ハンモックも、適度な柔軟性及び伸張性により変形して帽体の外部からの衝撃を吸収するようになっているが、帽体の内面から衝撃吸収ライナを取り除いた状態で帽体が衝撃力を受けたとき、従来のハンモックの構造では当該ハンモックのみで人頭に伝わる衝撃を緩和するには不十分であった。
【０００８】
本発明は、衝撃に対する人頭の保護性能を向上させたハンモックを提供することを目的とする。
【課題を解決するための手段】
【０００９】
本発明は、ヘルメットの帽体内部に取り付けられて内面が人頭に接するハンモックであって、互いに間隔を存して頭頂部側から下方に延びる４つ以上の帯状の脚部を備え、該脚部の下端に、前記帽体に着脱自在に連結する連結部が設けられているものにおいて、前記各脚部間に、互いに隣り合う脚部同士を繋いで周方向に延びる帯状の桁部を設けたものに関する。
【００１０】
その第１の発明のハンモックは、前記桁部に、前記脚部の撓みや伸びに応じて前記帽体の内面に当接することにより前記桁部と前記帽体との間の空隙を保持する空隙保持部を設け、前記空隙保持部を、前記桁部の周方向に沿って互いに間隔を存して配設された複数の板状部によって構成し、各板状部においては、互いに板面を対向させて両板面間の間隔部分を通気自在としたことを特徴とする。
【００１１】
第１の発明によれば、万一、帽体が衝撃を受けたことに伴って帽体内部で脚部が撓み、ハンモックの位置が偏って帽体内面に接近しても、空隙保持部が帽体内面とハンモックとの間に確実に空隙を形成して帽体内面にハンモックが接することが防止される。これにより、帽体内面にハンモックが接したために人頭に直接的に衝撃が伝達されるという事態が防止でき、衝撃に対する人頭の保護性能を向上させることができる。しかも、脚部の過剰な変形も抑えられるので、ハンモックの耐久性も向上させることができる。
【００１２】
更に、前記空隙保持部を複数の板状部によって構成して各板状部の板面間の間隔部分での通気性が確保されるので、帽体内部の熱気や蒸れを抑えることができ、着用時の高い快適性を維持することができる。
【００１３】
また、第１の発明において、前記桁部の外面に、該桁部の下縁に沿って突出する凸条を設けることが好ましい。
【００１４】
また、第２の発明のハンモックは、前記桁部の外面に、該桁部の下縁に沿って突出する凸条を設けたことを特徴とする。
【００１５】
第２の発明によれば、前記桁部の外面に、該桁部の下縁に沿って突出する凸条が設けられているので、桁部の頭頂側となる上縁側における柔軟な変形を阻害することなく、凸条によって桁部の強度を向上させることができる。
【図面の簡単な説明】
【００１６】
【図１】本発明の実施形態のハンモックを備える着装体を示す斜視図。
【図２】本実施形態のハンモックの平面図。
【図３】図１の着装体の背面図。
【図４】他の実施形態のハンモックの斜視図。
【図５】図４のハンモックの平面図。
【発明を実施するための形態】
【００１７】
本発明の一実施形態を図面に基づいて説明する。図１は、着装体１を示しており、図示しない硬質の帽体に取り付けられる。図１において、２は本発明の実施形態のハンモック、３はヘッドバンド、４は耳紐、５は顎紐である。
【００１８】
ハンモック２は、図１及び図２に示すように、人頭形状に略対応する形状とされており、４つの脚部（一対の前方脚部６ａ，６ｂ、及び、一対の後方脚部７ａ，７ｂ）を備えている。各脚部６ａ，６ｂ，７ａ，７ｂは、上下方向に延びる帯状に形成され、その下端には図示しない帽体に着脱自在に連結するための連結部８が設けられている。
【００１９】
各脚部６ａ，６ｂ，７ａ，７ｂには、ハンモック２の周方向の両側縁に沿って外側に突出する第１凸条９が形成されている。
【００２０】
各脚部６ａ，６ｂ，７ａ，７ｂは、横方向に延びる帯状の第１桁部１０（本発明における桁部）により互いに隣り合うもの同士が一体に繋げられた状態となっている。第１桁部１０は、ハンモック２の周方向に環状の線上に沿って設けられており、見かけ上は環状に形成されている。第１桁部１０を環状に設けることで、第１桁部１０に偏った外力が付与
されても、その外力は各脚部６ａ，６ｂ，７ａ，７ｂに均等に分散される。
【００２１】
また、第１桁部１０には、その下縁に沿って外側に突出する第２凸条１１（本発明における凸条）が形成されている。
【００２２】
後方脚部７ａ，７ｂの間には帯状の第２桁部１２が設けられている。第２桁部１２は、第１桁部１０の下方位置で横方向に延び、後方脚部７ａ，７ｂを繋ぐようにして両端の夫々が各後方脚部７ａ，７ｂに一体に連設されている。
【００２３】
第２桁部１２は、図２に示すように、人頭外周に略対応する形状に湾曲する第１湾曲部１３と、第１湾曲部１３の両端に連続して第１湾曲部１３と反対方向に湾曲する一対の第２湾曲部１４とを備えている。
【００２４】
第２桁部１２は、両第２湾曲部１４の湾曲により、第１湾曲部１３をハンモック２の内側に位置させている。これにより、第１湾曲部１３と帽体内面との間に比較的広い空隙を形成することができる。第１湾曲部１３は、ハンモック２の内側に位置しているが、人頭外周に略対応する形状に湾曲しているので、第１湾曲部１３が人頭に接したとき、着用者にとって違和感が少ない。
【００２５】
また、前述した通り、各脚部６ａ，６ｂ，７ａ，７ｂは第１凸条９によって変形が抑えられている。このことから、後方脚部７ａ，７ｂと一体の第２桁部１２の変形も抑えられ、第１湾曲部１３と第２湾曲部１４とによる第２桁部１２の湾曲形状が確実に維持される。
【００２６】
ハンモック２は、図１及び図２に示すように、ヘッドバンド３の前端部を係止してヘッドバンド３を支持する第１ヘッドバンド係止部１５と、ヘッドバンド３の中間部上縁から延びる延設片１６を係止してヘッドバンド３を支持する第２ヘッドバンド係止部１７とを備えている。
【００２７】
図１に示すように、第１ヘッドバンド係止部１５は、横長の板状に形成され、前方脚部６ａ，６ｂの間を繋いでいる第１桁部１０から下方に延びる一対の支持アーム１８に支持されている。
【００２８】
第２ヘッドバンド係止部１７は、前方脚部６ａ，６ｂとその夫々に隣り合う側の後方脚部７ａ，７ｂとの間を繋いでいる第１桁部１０に設けられている。第２ヘッドバンド係止部１７は、延設片１６を上下方向に段階的に移動自在に支持しており、これによって、着用者に合わせてヘッドバンド３の高さ位置を調節できるようになっている。
【００２９】
ヘッドバンド３は、前端部が第１ヘッドバンド係止部１５に係止される一対の帯状部材３ａ，３ｂによって構成されている。図１に示すように、両帯状部材３ａ，３ｂの後端部には、着用者に合わせてヘッドバンド３の周長を調節する周長調節手段１９が設けられている。
【００３０】
周長調節手段１９は、下方に延びる一対の引っ張り片１９ａを下方に引っ張ることで、ヘッドバンド３の周長を短縮させる。両引っ張り片１９ａは、摺動部１９ｂを介して耳紐４に摺動自在に接続されており、両引っ張り片１９ａを下方に引っ張ったときには、摺動部１９ｂの摺動によって両引っ張り片１９ａが耳紐４に沿って案内される。
【００３１】
図１に示すように、耳紐４は、左右で一対設けられており、前端が前方脚部６ａ，６ｂの下端に連結され、図３に示すように、後端がハンモック２の後頭部側に設けられた連結
環２０に連結されている。
【００３２】
また、図１に示すように、左右の耳紐４には顎紐５が接続されている。なお、耳紐４と顎紐５とは、夫々、図示省略したバックル等によって長さを調節することが可能となっている。
【００３３】
耳紐４の後端が連結されている連結環２０は、図３に示すように、第２桁部１２の第１湾曲部１３の外面に設けられている。前述したように、第２桁部１２は一対の第２湾曲部１４により、第１湾曲部１３と帽体内面との間に比較的広い空隙を形成している。第１湾曲部１３の外面に連結環２０を設けたことにより、連結環２０は、上記の比較的広い空隙に収容される。
【００３４】
以上の構成による本実施形態のハンモック２は、次の効果を有する。即ち、各脚部６ａ，６ｂ，７ａ，７ｂに形成された第１凸条９によって、各脚部６ａ，６ｂ，７ａ，７ｂの不用意な捻じれ変形を防止することができる。よって、人頭に伝わる衝撃を脚部６ａ，６ｂ，７ａ，７ｂにより確実に緩和することができ、人頭の保護性能を向上させることができる。
【００３５】
また、各脚部６ａ，６ｂ，７ａ，７ｂの下端には連結部８が設けられているため、各脚部６ａ，６ｂ，７ａ，７ｂが変形するとその影響により連結部８の帽体への連結力が弱められるおそれがある。しかし、本実施形態においては、第１凸条９が各脚部６ａ，６ｂ，７ａ，７ｂの下端まで延びているので、各脚部６ａ，６ｂ，７ａ，７ｂの下端部の変形が抑制され、連結部８による帽体への強固な連結状態を維持することができる。
【００３６】
また、各脚部６ａ，６ｂ，７ａ，７ｂは、第１桁部１０により一体に繋げられた状態となっているので、各脚部６ａ，６ｂ，７ａ，７ｂ間の間隔の過剰な広がりが抑制され、ハンモック２の人頭への装着状態を安定させることができる。更に、第１桁部１０の下縁に第２凸条１１が形成されているので、第１桁部１０の上縁側の柔軟な変形を阻害することなく第１桁部１０の強度が向上し、第１桁部１０の歪みが各脚部６ａ，６ｂ，７ａ，７ｂに波及することを確実に防止することができる。
【００３７】
上記の構成に加え、他の実施形態として図４及び図５に示すように、前頭部側、後頭部側、及び左右の側頭部側の夫々に空隙保持部２１を設けてもよい。各空隙保持部２１は、各脚部６ａ，６ｂ，７ａ，７ｂの間に位置する第１桁部１０に設けられている。なお、空隙保持部２１以外の構成は前述した実施形態のものと同じであるため、同一の符号を付して説明を省略する。
【００３８】
各空隙保持部２１は、複数の板状部２２によって構成されている。各板状部２２は板面２３を横に向けて、隣り合う板状部２２の板面同士が対向する姿勢に設けられており、両板面２３間の間隔部分２４が上下方向に通気自在となっている。これにより、両板面２３間の間隔部分２４を通る気流をハンモック２と帽体との間に円滑に流動させることができ、各空隙保持部２１を設けても帽体内部の熱こもり等を防止して着用時の快適性を得ることができる。
【００３９】
各空隙保持部２１を構成している板状部２２の外側端縁は、図示しないが、帽体の内面に当接しているか、或いは、帽体内部でハンモック２の脚部６ａ，６ｂ，７ａ，７ｂの撓みや伸び変形に応じて帽体の内面に当接するようになっており、これによって、第１桁部１０と帽体との接触を防止して、第１桁部１０と帽体との間の空隙を保持している。このときの空隙が確実に確保されることによって、帽体内面にハンモック２が接することがなく、帽体が受ける衝撃が人頭に直接的に伝達される事態が防止できる。しかも、各空隙保
持部２１の板状部２２によって帽体内部でのハンモック２の移動領域が小さな領域で規制されるので、脚部６ａ，６ｂ，７ａ，７ｂの捻じれや歪み等の過剰な変形が抑えられ、ハンモック２の耐久性が向上する。
【００４０】
このように、他の実施形態として挙げた図４及び図５に示す構成のハンモック２によれば、各空隙保持部２１を設けたことにより、着用時の快適性を阻害することなく衝撃に対する人頭の保護性能を一層確実に向上させることができ、しかも、各脚部６ａ，６ｂ，７ａ，７ｂの過剰な変形を一層確実に防止することができる。
【００４１】
なお、上記の各実施形態のハンモック２においては４つの脚部６ａ，６ｂ，７ａ，７ｂを備えるものを示したが、それに限るものではなく、脚部の数は４つ以上であっても本発明を適用することができる。
【符号の説明】
【００４２】
２…ハンモック、６ａ，６ｂ，７ａ，７ｂ…脚部、８…連結部、１０…第１桁部（桁部）、１１…第２凸条（凸条）、２１…空隙保持部、２２…板状部、２３…板面、２４…間隔部分。
【図１】
2019199680.tif 000003
【図２】
2019199680.tif 000004
【図３】
2019199680.tif 000005
【図４】
2019199680.tif 000006
【図５】
2019199680.tif 000007
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
ヘルメットの帽体内部に取り付けられて内面が人頭に接するハンモックであって、互いに間隔を存して頭頂部側から下方に延びる４つ以上の帯状の脚部を備え、該脚部の下端に、前記帽体に着脱自在に連結する連結部が設けられているものにおいて、
前記各脚部間に、互いに隣り合う脚部同士を繋いで周方向に延びる帯状の桁部を設け、
前記桁部に、前記脚部の撓みや伸びに応じて前記帽体の内面に当接することにより前記桁部と前記帽体との間の空隙を保持する空隙保持部を設け、
前記空隙保持部を、前記桁部の周方向に沿って互いに間隔を存して配設された複数の板状部によって構成し、
各板状部においては、互いに板面を対向させて両板面間の間隔部分を通気自在としたことを特徴とするヘルメット用ハンモック。
【請求項２】
前記桁部の外面に、該桁部の下縁に沿って突出する凸条を設けたことを特徴とする請求項１記載のヘルメット用ハンモック。
【手続補正２】
【補正対象書類名】明細書
【補正対象項目名】０００９
【補正方法】変更
【補正の内容】
【０００９】
本発明は、ヘルメットの帽体内部に取り付けられて内面が人頭に接するハンモックであって、互いに間隔を存して頭頂部側から下方に延びる４つ以上の帯状の脚部を備え、該脚部の下端に、前記帽体に着脱自在に連結する連結部が設けられているものにおいて、前記各脚部間に、互いに隣り合う脚部同士を繋いで周方向に延びる帯状の桁部を設け、前記桁部に、前記脚部の撓みや伸びに応じて前記帽体の内面に当接することにより前記桁部と前記帽体との間の空隙を保持する空隙保持部を設け、前記空隙保持部を、前記桁部の周方向に沿って互いに間隔を存して配設された複数の板状部によって構成し、各板状部においては、互いに板面を対向させて両板面間の間隔部分を通気自在としたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明によれば、万一、帽体が衝撃を受けたことに伴って帽体内部で脚部が撓み、ハンモックの位置が偏って帽体内面に接近しても、空隙保持部が帽体内面とハンモックとの間に確実に空隙を形成して帽体内面にハンモックが接することが防止される。これにより、帽体内面にハンモックが接したために人頭に直接的に衝撃が伝達されるという事態が防止でき、衝撃に対する人頭の保護性能を向上させることができる。しかも、脚部の過剰な変形も抑えられるので、ハンモックの耐久性も向上させることができる。
【手続補正５】
【補正対象書類名】明細書
【補正対象項目名】００１３
【補正方法】変更
【補正の内容】
【００１３】
また、本発明において、前記桁部の外面に、該桁部の下縁に沿って突出する凸条を設けることが好ましい。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
これによれば、前記桁部の外面に、該桁部の下縁に沿って突出する凸条が設けられているので、桁部の頭頂側となる上縁側における柔軟な変形を阻害することなく、凸条によって桁部の強度を向上させることができる。